(57)【特許請求の範囲】
【請求項１】
ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークとを有する情報配信システムであって、
前記組織内ネットワークに接続された広域ネットワークに接続されるデータセンタサーバが設けられ、
前記組織内ポータルサーバは、前記広域ネットワークに接続される外部コンテンツサーバが提供する情報である外部情報の該外部コンテンツサーバにおけるＵＲＬと前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記ＵＲＬを前記広域ネットワークを介して前記データセンタサーバに送出し、
前記データセンタサーバは、異なる組織間で前記ユーザ属性情報を統一させた統一属性情報に受信するユーザ属性情報を変換するための変換テーブルを格納し、前記ＵＲＬおよび前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報および前記ＵＲＬをアクセス履歴として格納することを特徴とする情報配信システム。
【請求項２】
請求項１記載の情報配信システムであって、
前記組織内ポータルサーバは、アクセス回数の多い外部情報の順に該外部情報のタイトルが並べて記述された表であるランキング一覧の要求とユーザＩＤとを前記ユーザ端末から受け取ると、受け取ったユーザＩＤに対応する暗号化ユーザ属性情報および前記ランキング一覧の要求を広域ネットワークを介して前記データセンタサーバに送出し、
前記データセンタサーバは、前記ランキング一覧の要求および前記暗号化ユーザ属性情報を前記組織内ポータルサーバから受け取ると、該暗号化ユーザ属性情報を復号化したユーザ属性情報を前記変換テーブルにより前記統一属性情報に変換し、該統一属性情報の属性内容が一致する統一属性情報が格納されたアクセス履歴に対応する外部情報についての前記ランキング一覧を生成し、生成されたランキング一覧を前記組織内ポータルサーバを介して前記ユーザ端末に送出することを特徴とする情報配信システム。
【請求項３】
ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークと、前記組織内ネットワークに接続された広域ネットワークを介して接続される外部コンテンツサーバとを有する情報配信システムであって、
前記組織内ネットワークに接続された広域ネットワークに接続されるデータセンタサーバが設けられ、
前記組織内ポータルサーバは、前記外部コンテンツサーバに格納された情報である外部情報のうち前記利用者に推薦される推薦情報のタイトルが並べて記述された表である推薦情報一覧の要求と前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記推薦情報一覧の要求を前記広域ネットワークを介して前記データセンタサーバに送出し、
前記データセンタサーバは、異なる組織間で前記ユーザ属性情報を統一させた統一属性情報に受信するユーザ属性情報を変換するための変換テーブルを格納し、前記推薦情報一覧の要求および前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報を暗号化した暗号化統一属性情報を前記外部コンテンツサーバに送出し、前記外部コンテンツサーバから受け取る前記推薦情報のタイトルについて前記推薦情報一覧を生成して、該推薦情報一覧を前記組織内ポータルサーバを介して前記ユーザ端末に送出し、
前記外部コンテンツサーバは、前記推薦情報に関連のある利用者の統一属性情報が添付された前記推薦情報を格納し、前記暗号化統一属性情報を前記データセンタサーバから受け取ると、暗号化統一属性情報を復号化した統一属性情報の属性内容を検索条件として前記推薦情報に添付された統一属性情報の属性内容が一致する推薦情報を検索し、検索された推薦情報のタイトルを前記データセンタサーバに送出する情報配信システム。
【請求項４】
ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークとを有する情報配信システムを利用する情報配信方法であって、
予め、前記組織内ネットワークに接続された広域ネットワークに接続されるデータセンタサーバを備え、
前記組織内ポータルサーバは、前記広域ネットワークに接続される外部コンテンツサーバが提供する情報である外部情報の該外部コンテンツサーバにおけるＵＲＬと前記ユーザＩＤとを前記ユーザ端末から受け取ると、受け取ったユーザＩＤに対応するユーザ属性情報を引き出し、引き出したユーザ属性情報を暗号化した暗号化ユーザ属性情報、および前記ＵＲＬを前記広域ネットワークを介して前記データセンタサーバに送出し、
前記データセンタサーバは、異なる組織間で前記ユーザ属性情報を統一させた統一属性情報に受信するユーザ属性情報を変換するための変換テーブルを格納し、前記ＵＲＬおよび前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報および前記ＵＲＬをアクセス履歴として格納する情報配信方法。
【請求項５】
請求項４記載の情報配信方法であって、
前記組織内ポータルサーバは、アクセス回数の多い外部情報の順に該外部情報のタイトルが並べて記述された表であるランキング一覧の要求とユーザＩＤとを前記ユーザ端末から受け取ると、受け取ったユーザＩＤに対応する暗号化ユーザ属性情報および前記ランキング一覧の要求を広域ネットワークを介して前記データセンタサーバに送出し、
前記データセンタサーバは、前記ランキング一覧の要求および前記暗号化ユーザ属性情報を前記組織内ポータルサーバから受け取ると、該暗号化ユーザ属性情報を復号化したユーザ属性情報を前記変換テーブルにより前記統一属性情報に変換し、該統一属性情報の属性内容が一致する統一属性情報が格納されたアクセス履歴に対応する外部情報についての前記ランキング一覧を生成し、生成されたランキング一覧を前記組織内ポータルサーバを介して前記ユーザ端末に送出する情報配信方法。
【請求項６】
ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークと、前記組織内ネットワークに接続された広域ネットワークを介して接続される外部コンテンツサーバとを有する情報配信システムを利用する情報配信方法であって、
予め、前記広域ネットワークに接続されるデータセンタサーバを備え、
前記組織内ポータルサーバは、前記外部コンテンツサーバに格納された情報である外部情報のうち前記利用者に推薦される推薦情報のタイトルが並べて記述された表である推薦情報一覧の要求と前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記推薦情報一覧の要求を前記広域ネットワークを介して前記データセンタサーバに送出し、
前記データセンタサーバは、異なる組織間で前記ユーザ属性情報を統一させた統一属性情報に受信するユーザ属性情報を変換するための変換テーブルを格納し、前記推薦情報一覧の要求および前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報を暗号化した暗号化統一属性情報を前記外部コンテンツサーバに送出し、
前記外部コンテンツサーバは、前記推薦情報に関連のある利用者の統一属性情報が添付された前記推薦情報を格納し、前記暗号化統一属性情報を前記データセンタサーバから受け取ると、前記暗号化統一属性情報を復号化した統一属性情報の属性内容を検索条件として前記推薦情報に添付された統一属性情報の属性内容が一致する推薦情報を検索し、検索された推薦情報のタイトルを前記データセンタサーバに送出し、
前記データセンタサーバは、前記外部コンテンツサーバから受け取る前記推薦情報のタイトルについて前記推薦情報一覧を生成して、該推薦情報一覧を前記組織内ポータルサーバを介して前記ユーザ端末に送出する情報配信方法。
【発明の詳細な説明】
【０００１】
【発明の属する技術分野】
本発明は、情報配信システム、および情報配信方法に関する。
【０００２】
【従来の技術】
従来、組織を代表する企業として、ニュース、市場動向、および業界の情報を提供する外部コンテンツサーバから情報の提供を受けようとする場合、外部コンテンツサーバを運営する各種企業や団体と個別に、情報提供のサービスを受ける旨の契約を行って、企業内で社員に情報提供を行う企業内ポータルシステムと外部コンテンツサーバとを広域ネットワークを介して接続していた。
【０００３】
上記企業内ポータルシステムと外部コンテンツサーバとが広域ネットワークで接続された構成の従来の情報配信システムについて説明する。
【０００４】
図７は情報配信システムの構成の一実施例を示すブロック図である。
【０００５】
図７には、二つの企業の企業内ポータルシステム４００、４０１が広域ネットワーク２００を介して、二つの外部コンテンツサーバ３５０、３５１に接続された構成が示されている。なお、二つの企業ポータルシステム４００、４０１は同様な構成であるため、以下では、一方の企業ポータルシステム４０１についての詳細な説明を省略する。また、外部コンテンツサーバ３５０、３５１についても同様に、一方の外部コンテンツサーバ３５１についての詳細な説明を省略する。
【０００６】
従来の情報配信システムは、企業内ポータルシステム４００と、外部コンテンツサーバ３５０と、企業内ポータルシステム４００および外部コンテンツサーバ３５０が相互に通信可能に接続する広域ネットワーク２００とを有する構成である。
【０００７】
企業内ポータルシステム４００は、企業内で社員が利用するためのユーザ端末３１０、３１１と、ユーザ端末３１０、３１１からシステムに初めにアクセスするための企業内ポータルサーバ３２０と、利用者のユーザＩＤおよびパスワードを利用者に対応して格納するための企業内ディレクトリサーバ３３０と、ユーザ端末３１０、３１１、企業内ポータルサーバ３２０、および企業内ディレクトリサーバ３３０が相互に通信可能に接続する企業内ネットワーク１００とを有する構成である。
【０００８】
上記構成の情報配信システムにより、ユーザ端末３１０に外部コンテンツサーバ３５０に格納された情報を表示させる場合の動作手順を説明する。
【０００９】
利用者である社員がユーザ端末３１０を操作して企業内ポータルサーバ３２０から認証のための入力画面を取得し、ユーザＩＤおよびパスワードをユーザ端末３１０に入力すると、企業内ポータルサーバ３２０は企業内ディレクトリサーバ３３０に格納されたユーザＩＤおよびパスワードを参照して、利用者の認証をする。認証により、利用者が社員であることを確認すると、外部コンテンツサーバ３５０にアクセスするための初期画面をユーザ端末３１０に送信する。
【００１０】
続いて、利用者がユーザ端末３１０に表示された初期画面で外部コンテンツサーバ３５０に格納された情報にアクセスするリンクを動作させることで、ユーザ端末３１０に外部コンテンツサーバ３５０に格納された情報が表示される。
【００１１】
上述の処理により、利用者はユーザ端末３１０を操作して外部コンテンツサーバ３５０から、ニュース、市場動向、および業界についての情報を得る。
【００１２】
【発明が解決しようとする課題】
上述の従来の情報配信システムの場合、次のような問題がある。
【００１３】
利用する情報は職種や職位などに応じて偏ることが多く、配信する情報も職種や職位などに応じたものとすることが望ましい。しかしながら、従来の情報配信システムでは、この種の属性情報を会社側から外部コンテンツサーバ３５０に対して伝達することができないため、すべての社員が一律に扱われて同じ情報が配信されてしまう。この結果、職種や職位などにそぐわない非常に多くの情報が配信されることとなり、自分の職種や職位などに関係のある情報を得ようとする場合に手間がかかるという問題点がある。
【００１４】
また、情報を効率よく選択するためによく利用されるコンテンツランキングを公表することがよく行なわれている。このコンテンツランキングの集計を会社に当てはめた場合には以下のように行なわれることとなる。
【００１５】
自社の社員が外部コンテンツサーバ３５０にアクセスする際に、企業内ポータルサーバ３２０を介して行っているため、企業内ポータルサーバ３２０は社員がアクセスする情報についてアクセスする回数をカウントし、アクセス数の多い情報の順に情報のタイトルを並べた表であるコンテンツランキング一覧を社員に公表する。
【００１６】
しかし、コンテンツランキング一覧は、自社内のアクセス回数のデータから求められたものであるため、自社に偏った情報であり、このコンテンツランキング一覧からは他社の社員がアクセスする情報を把握することができないという問題点がある。
【００１７】
さらに、外部コンテンツサーバ３５０の数が多くなるとアクセスする情報の数も多くなり、企業内ポータルサーバ３２０にかかる負荷が大きくなるという問題点がある。
【００１８】
本発明は上述したような従来の技術が有する問題点を解決するためになされたものであり、利用者の職種や職位などに合った情報を利用者毎に配信する情報配信システム、および情報配信方法を提供することを目的とする。
【００１９】
【課題を解決するための手段】
上記目的を達成するための本発明の情報配信システムは、ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークとを有する情報配信システムであって、前記組織内ネットワークに接続された広域ネットワークに接続されるデータセンタサーバが設けられ、前記組織内ポータルサーバは、前記広域ネットワークに接続される外部コンテンツサーバが提供する情報である外部情報の該外部コンテンツサーバにおけるＵＲＬと前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記ＵＲＬを前記広域ネットワークを介して前記データセンタサーバに送出し、前記データセンタサーバは、異なる組織間で前記ユーザ属性情報を統一させた統一属性情報に受信するユーザ属性情報を変換するための変換テーブルを格納し、前記ＵＲＬおよび前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報および前記ＵＲＬをアクセス履歴として格納する構成である。
【００２０】
上記のように構成される本発明では、データセンタサーバが、外部情報のＵＲＬおよび暗号化されたユーザ属性情報を組織内ポータルサーバから広域ネットワークを介して受け取ると、暗号化ユーザ属性情報を復号化して、ユーザ属性情報を異なる組織間で統一させた統一属性情報に変換し、統一属性情報およびＵＲＬをアクセス履歴として格納する。組織内ポータルサーバから受け取るユーザ属性情報が組織毎に異なっていても、組織間で統一させた統一属性情報に変換され、統一属性情報が外部情報のＵＲＬとともにアクセス履歴として、組織で区別されることなくデータセンタサーバに格納される。
【００２１】
上記本発明の情報配信システムにおいて、前記組織内ポータルサーバは、アクセス回数の多い外部情報の順に該外部情報のタイトルが並べて記述された表であるランキング一覧の要求とユーザＩＤとを前記ユーザ端末から受け取ると、受け取ったユーザＩＤに対応する暗号化ユーザ属性情報および前記ランキング一覧の要求を広域ネットワークを介して前記データセンタサーバに送出し、前記データセンタサーバは、前記ランキング一覧の要求および前記暗号化ユーザ属性情報を前記組織内ポータルサーバから受け取ると、該暗号化ユーザ属性情報を復号化したユーザ属性情報を前記変換テーブルにより前記統一属性情報に変換し、該統一属性情報の属性内容が一致する統一属性情報が格納されたアクセス履歴に対応する外部情報についての前記ランキング一覧を生成し、生成されたランキング一覧を前記組織内ポータルサーバを介して前記ユーザ端末に送出する構成であってもよい。
【００２２】
上記のように構成される本発明では、利用者のユーザ属性情報に対応してアクセス回数の多い情報についてのランキング一覧を利用者に配信する。異なる組織に所属する利用者であっても、ユーザ属性情報の同じ利用者がアクセスする情報のランキング一覧が利用者のユーザ端末に配信される。
【００２３】
また、本発明の情報配信システムは、ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークと、前記組織内ネットワークに接続された広域ネットワークを介して接続される外部コンテンツサーバとを有する情報配信システムであって、前記組織内ネットワークに接続された広域ネットワークに接続されるデータセンタサーバが設けられ、前記組織内ポータルサーバは、前記外部コンテンツサーバに格納された情報である外部情報のうち前記利用者に推薦される推薦情報のタイトルが並べて記述された表である推薦情報一覧の要求と前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記推薦情報一覧の要求を前記広域ネットワークを介して前記データセンタサーバに送出し、前記データセンタサーバは、異なる組織間で前記ユーザ属性情報を統一させた統一属性情報に受信するユーザ属性情報を変換するための変換テーブルを格納し、前記推薦情報一覧の要求および前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報を暗号化した暗号化統一属性情報を前記外部コンテンツサーバに送出し、前記外部コンテンツサーバから受け取る前記推薦情報のタイトルについて前記推薦情報一覧を生成して、該推薦情報一覧を前記組織内ポータルサーバを介して前記ユーザ端末に送出し、前記外部コンテンツサーバは、前記推薦情報に関連のある利用者の統一属性情報が添付された前記推薦情報を格納し、前記暗号化統一属性情報を前記データセンタサーバから受け取ると、暗号化統一属性情報を復号化した統一属性情報の属性内容を検索条件として前記推薦情報に添付された統一属性情報の属性内容が一致する推薦情報を検索し、検索された推薦情報のタイトルを前記データセンタサーバに送出する構成である。
【００２４】
上記のように構成される本発明では、利用者のユーザ属性情報に対応して推薦情報を利用者に配信する。利用者がユーザ端末を介して推薦情報を要求すると、利用者のユーザ属性情報に対応する推薦情報が利用者のユーザ端末に配信される。
【００２５】
一方、上記目的を達成するための本発明の情報配信方法は、ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークとを有する情報配信システムを利用する情報配信方法であって、予め、前記組織内ネットワークに接続された広域ネットワークに接続されるデータセンタサーバを備え、前記組織内ポータルサーバは、前記広域ネットワークに接続される外部コンテンツサーバが提供する情報である外部情報の該外部コンテンツサーバにおけるＵＲＬと前記ユーザＩＤとを前記ユーザ端末から受け取ると、受け取ったユーザＩＤに対応するユーザ属性情報を引き出し、引き出したユーザ属性情報を暗号化した暗号化ユーザ属性情報、および前記ＵＲＬを前記広域ネットワークを介して前記データセンタサーバに送出し、前記データセンタサーバは、異なる組織間で前記ユーザ属性情報を統一させた統一属性情報に受信するユーザ属性情報を変換するための変換テーブルを格納し、前記ＵＲＬおよび前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報および前記ＵＲＬをアクセス履歴として格納するものである。
【００２６】
この場合、前記組織内ポータルサーバは、アクセス回数の多い外部情報の順に該外部情報のタイトルが並べて記述された表であるランキング一覧の要求とユーザＩＤとを前記ユーザ端末から受け取ると、受け取ったユーザＩＤに対応する暗号化ユーザ属性情報および前記ランキング一覧の要求を広域ネットワークを介して前記データセンタサーバに送出し、前記データセンタサーバは、前記ランキング一覧の要求および前記暗号化ユーザ属性情報を前記組織内ポータルサーバから受け取ると、該暗号化ユーザ属性情報を復号化したユーザ属性情報を前記変換テーブルにより前記統一属性情報に変換し、該統一属性情報の属性内容が一致する統一属性情報が格納されたアクセス履歴に対応する外部情報についての前記ランキング一覧を生成し、生成されたランキング一覧を前記組織内ポータルサーバを介して前記ユーザ端末に送出するものであってもよい。
【００２７】
また、本発明の情報配信方法は、ユーザ端末の利用者のユーザＩＤを含む属性に関する情報であるユーザ属性情報を格納し、前記ユーザ端末から初めにアクセスするための組織内ポータルサーバと、前記ユーザ端末および前記組織内ポータルサーバが相互に通信可能に接続された組織内ネットワークと、前記組織内ネットワークに接続された広域ネットワークを介して接続される外部コンテンツサーバとを有する情報配信システムを利用する情報配信方法であって、予め、前記広域ネットワークに接続されるデータセンタサーバを備え、前記組織内ポータルサーバは、前記外部コンテンツサーバに格納された情報である外部情報のうち前記利用者に推薦される推薦情報のタイトルが並べて記述された表である推薦情報一覧の要求と前記ユーザＩＤとを前記ユーザ端末から受け取ると、受け取ったユーザＩＤに対応するユーザ属性情報を引き出し、引き出したユーザ属性情報を暗号化した暗号化ユーザ属性情報および前記推薦情報一覧の要求を前記広域ネットワークを介して前記データセンタサーバに送出し、前記データセンタサーバは、異なる組織間で前記ユーザ属性情報を統一させた統一属性情報に受信するユーザ属性情報を変換するための変換テーブルを格納し、前記推薦情報一覧の要求および前記暗号化ユーザ属性情報を前記組織内ポータルサーバから受け取ると、前記暗号化ユーザ属性情報を復号化したユーザ属性情報を前記変換テーブルにより前記統一属性情報に変換し、該統一属性情報を暗号化した暗号化統一属性情報を前記外部コンテンツサーバに送出し、前記外部コンテンツサーバは、前記推薦情報に関連のある利用者の統一属性情報が添付された前記推薦情報を格納し、前記暗号化統一属性情報を前記データセンタサーバから受け取ると、前記暗号化統一属性情報を復号化した統一属性情報の属性内容を検索条件として前記推薦情報に添付された統一属性情報の属性内容が一致する推薦情報を検索し、検索された推薦情報のタイトルを前記データセンタサーバに送出し、前記データセンタサーバは、前記外部コンテンツサーバから受け取る前記推薦情報のタイトルについて前記推薦情報一覧を生成して、該推薦情報一覧を前記組織内ポータルサーバを介して前記ユーザ端末に送出するものである。
【００２８】
【発明の実施の形態】
本発明の情報配信システムは、企業内ポータルシステムに対し、ニュース、市場動向、および業界などの情報を提供する複数の外部コンテンツサーバが情報を配信する際に、企業内ポータルシステムと外部コンテンツサーバの間にデータセンタサーバを介して配信することにより、企業内ポータルシステムの利用者の職種や職位などの利用者の属性に合わせた情報の配信を可能とすることを特徴とする。
【００２９】
（第１実施例）
本発明の第１実施例における情報配信システムの構成について説明する。
【００３０】
図１は本発明の情報配信システムを模式的に示すブロック図である。なお、図１には、二つの企業の企業内ポータルシステム３５、３６が広域ネットワーク２００に接続された状態が示されているが、二つの企業ポータルシステム３５、３６は同様な構成であるため、以下では、一方の企業ポータルシステム３６についての詳細な説明を省略する。
【００３１】
図１を参照すると、本発明の情報配信システムは、企業内ポータルシステム３５と、企業内ポータルシステム３５に広域ネットワーク２００を介して情報を提供する外部コンテンツサーバ５０、５１と、外部コンテンツサーバ５０、５１が提供する情報をとりまとめて各企業に対し情報配信を行うデータセンタサーバ４０とを備える構成である。
【００３２】
企業内ポータルシステム３５は、企業内で社員が利用するためのユーザ端末１０、１１と、データセンタサーバ４０から情報配信を受けるためにユーザ端末１０、１１から初めにアクセスするための企業内ポータルサーバ２０と、利用者のユーザＩＤおよびパスワードなどの利用者に関する情報を利用者に対応して格納するための企業内ディレクトリサーバ３０と、ユーザ端末１０、１１、企業内ポータルサーバ２０、および企業内ディレクトリサーバ３０が相互に通信可能に接続する企業内ネットワーク１００とを有する構成である。
【００３３】
ユーザ端末１０、１１は、パーソナルコンピュータに代表される情報処理装置である。
【００３４】
企業内ポータルサーバ２０および企業内ディレクトリサーバ３０は、ワークステーションに代表される情報処理装置であり、企業のサーバ管理者によって運用される。
【００３５】
企業内ディレクトリサーバ３０は、利用者となる社員のユーザＩＤ、パスワード、氏名、性別、所属部門、職種、職位および企業ＩＤ等の属性についての情報であるユーザ属性情報と、ポータル画面のレイアウト情報とを社員に対応して格納している。
【００３６】
企業内ポータルサーバ２０は、外部コンテンツサーバ５０、５１のいずれかが提供する情報である外部情報を要求する旨の通知をユーザ端末１０、１１のいずれかから受け取ると、企業内ディレクトリサーバ３０から利用者のユーザ属性情報を引き出し、外部情報のＵＲＬと、暗号化したユーザ属性情報である暗号化ユーザ属性情報を企業内ネットワーク１００および広域ネットワーク２００を経由してデータセンタサーバ４０に送出する。
【００３７】
データセンタサーバ４０は、外部コンテンツサーバ５０、５１が提供する情報をユーザ端末１０側で利用者が見やすいように職種や業種毎に分類して、企業内ポータルサーバ２０に対して配信するものであり、サービス専門事業者により運営される。
【００３８】
また、データセンタサーバ４０は、企業毎に記述方法の異なるユーザ属性情報を、企業間で統一させた記述方法による統一属性情報に変換するための変換テーブルをユーザ属性情報の属性に対応して格納している。
【００３９】
また、外部情報の要求、および暗号化ユーザ属性情報を企業内ポータルサーバ２０から受け取ると、暗号化ユーザ属性情報を復号化した後、さらに、上記変換テーブルによりユーザ属性情報を統一属性情報に変換し、外部情報に対応して統一属性情報とともにアクセス回数をアクセス履歴として格納する。
【００４０】
また、コンテンツランキング一覧の要求が利用者からユーザ端末１０、１１のいずれかを介してあった場合、利用者の統一属性情報のうち職種、職位などの属性の内容が一致する人が過去にアクセスした情報について、アクセス履歴からアクセス回数の多い情報の順に情報のタイトルを並べてコンテンツランキング一覧の情報を生成し、企業内ポータルサーバ２０を介してコンテンツランキング一覧の要求があったユーザ端末へ引き渡す。なお、コンテンツランキング一覧に記述されたタイトル毎にリンクが設定されており、リンク動作によりタイトルに対応する情報のＵＲＬにアクセス可能な構成である。
【００４１】
企業内ネットワーク１００は企業内イントラネット、広域ネットワーク２００はインターネットである。
【００４２】
次に、上記構成の情報配信システムにより、利用者がユーザ端末１０を介して外部コンテンツサーバ５０にアクセスするための、利用者毎に異なるポータル画面をユーザ端末１０に表示させるまでの動作手順について説明する。
【００４３】
図２は、利用者がユーザ端末１０を操作して企業内ポータルサーバ２０にアクセスを開始してから、ユーザ端末１０にポータル画面が表示させるまでの動作手順を示すタイムチャートである。
【００４４】
利用者がユーザ端末１０を操作して企業内ポータルサーバ２０にアクセスすると（ステップＡ１）、企業内ポータルサーバ２０はユーザＩＤとパスワードを入力するためのページをユーザ端末１０に送出する（ステップＡ２）。ユーザ端末１０は、ユーザＩＤとパスワードを入力するためのページを表示して、利用者によりユーザＩＤとパスワードが入力されると、ユーザＩＤとパスワードの情報を企業内ポータルサーバ２０に送出する（ステップＡ３）。
【００４５】
企業内ポータルサーバ２０はユーザＩＤとパスワードを受け取り、受け取ったユーザＩＤとパスワードについて企業内ディレクトリサーバ３０に問い合わせを行って（ステップＡ４）、利用者を認証すると、利用者のポータル画面レイアウト情報およびユーザ属性情報を企業内ディレクトリサーバ３０より引き出す（ステップＡ５）。
【００４６】
ポータル画面レイアウト情報内に、予め、外部情報にアクセスするリンクが設定されていると、企業内ポータルサーバ２０は、外部情報のＵＲＬ、および利用者の暗号化ユーザ属性情報をデータセンタサーバ４０に送出する（ステップＡ６）。
【００４７】
図３は、暗号化前のユーザ属性情報のテーブルの一例を示す図である。
【００４８】
図３に示すテーブルには、利用者の所属する企業の企業ＩＤ、職位、部門ＩＤ、利用者の職種を示すユーザタイプ、性別、および、利用者の所属する企業が立地する地域が企業内で定められた記述方法で記述され、また、外部情報のＵＲＬが記述されている。
【００４９】
データセンタサーバ４０は、図３に示したユーザ属性情報についての暗号化ユーザ属性情報、および外部情報のＵＲＬを企業内ポータルサーバ２０から受け取ると、暗号化ユーザ属性情報を復号化した後、次のようにして、ユーザ属性情報を統一属性情報に変換する。
【００５０】
図４は職位の情報についてユーザ属性情報から統一属性情報に変換するための変換テーブルの一例を示す図である。
【００５１】
図４にはユーザ属性情報である企業ＩＤおよび職位コードに対応して、統一属性情報である職位データが記述されている。
【００５２】
データセンタサーバ４０は、図４に示す変換テーブルにより、ユーザ属性情報である企業ＩＤおよび職位コードから、統一属性情報である職位データに変換する。また、職種および地域など他の属性についても、職位の場合と同様にして、属性毎に統一属性情報に変換する。
【００５３】
データセンタサーバ４０は、上述のようにして、ユーザ属性情報を統一属性情報に変換すると、統一属性情報を外部情報のＵＲＬと共にアクセス履歴として格納する（ステップＡ７）。
【００５４】
次に、データセンタサーバ４０が外部コンテンツサーバ５０に対して上記外部情報を要求すると、外部コンテンツサーバ５０は要求された外部情報を企業内ポータルサーバ２０に返却する（ステップＡ８）。企業内ポータルサーバ２０は、外部コンテンツサーバ５０から外部情報を受け取ると、受け取った外部情報が含まれるポータル画面を生成して（ステップＡ９）、利用者のユーザ端末１０に返却する（ステップＡ１０）。
【００５５】
ポータル画面表示以降、利用者のユーザ端末１０の操作により外部情報をユーザ端末１０上に表示させる場合も、上記ステップＡ４〜Ａ１０と同様の処理が行われる。
【００５６】
次に、利用者がコンテンツランキング一覧を要求する場合の動作手順について説明する。
【００５７】
図５は、ユーザ端末１０にポータル画面からコンテンツランキング一覧を表示させるまでの動作手順を示すタイムチャートである。
【００５８】
利用者がユーザ端末１０に表示されているポータル画面を見ながらユーザ端末１０を操作して、コンテンツランキング一覧を要求すると、ユーザ端末１０はコンテンツランキング一覧の要求、およびユーザＩＤを企業内ポータルサーバ２０に送出する（ステップＢ１）。企業内ポータルサーバ２０は、コンテンツランキング一覧の要求、およびユーザＩＤを受け取ると、受け取ったユーザＩＤを企業内ディレクトリサーバ３０に送出する（ステップＢ２）。企業内ディレクトリサーバ３０は、受け取ったユーザＩＤに対応するユーザ属性情報を企業内ポータルサーバ２０に返却する（ステップＢ３）。
【００５９】
企業内ポータルサーバ２０は、ユーザ属性情報を企業内ディレクトリサーバ３０から受け取ると、ユーザ属性情報による暗号化ユーザ属性情報とコンテンツランキング一覧の要求をデータセンタサーバ４０に送出する（ステップＢ４）。データセンタサーバ４０は、暗号化ユーザ属性情報を復号化して、図４に示した変換テーブルを用いてユーザ属性情報を統一属性情報に変換し、統一属性情報のうち職種を基準情報となるキーにして、どのような情報が利用者と同じ職種の人に人気があるかをアクセス履歴より検索し、コンテンツランキング一覧を生成して（ステップＢ５）、ユーザ端末１０へ返却する。
【００６０】
なお、コンテンツランキング一覧を生成する際、統一属性情報のうち職種をキーにしたが、職種以外の属性であってもよい。また、キーにするのが一つの属性に限らず、複数の属性であってもよい。
【００６１】
本実施例では、外部コンテンツサーバ５０、５１のいずれかから情報配信のサービスをデータセンタサーバ４０を介して受ける際、ユーザ属性情報を暗号化してデータセンタサーバ４０に引き渡すことにより、セキュリティについての問題を考慮しながら、利用者に適した情報の配信を可能としている。
【００６２】
また、企業内ポータルサーバ２０から受け取るユーザ属性情報が企業毎に異なっていても、企業間で統一させた統一属性情報に変換され、統一属性情報が外部情報のＵＲＬとともにアクセス履歴として、企業で区別されることなくデータセンタサーバ４０に格納される。そのため、データセンタサーバ４０にてコンテンツランキング一覧の生成やアクセス履歴の管理の処理を全て行うことができ、システムを利用する企業側の負担が軽減される。
【００６３】
さらに、利用者のユーザ属性情報に対応してアクセス回数の多い情報についてのランキング一覧を利用者に配信するため、異なる企業に所属する利用者であっても、ユーザ属性情報の同じ利用者がアクセスする情報のランキング一覧が利用者のユーザ端末１０に配信される。したがって、アクセス履歴から利用者と同様なユーザ属性情報の人がアクセスする情報についての配信を、どのような企業に対してもサービスすることが可能となる。
【００６４】
（第２実施例）
第１実施例が利用者側からの外部情報の要求とともに送出されるユーザ属性情報をデータセンタサーバ４０がコンテンツランキングに活用するものであるが、本実施例は、外部コンテンツサーバ５０がデータセンタサーバ４０から受け取るユーザ属性情報を、提供する情報の検索条件に用いることを特徴とするものである。
【００６５】
外部コンテンツサーバ５０、５１は、利用者に推薦する情報であるリコメンドコンテンツに、推薦する対象となる利用者の統一属性情報を添付する。なお、リコメンドコンテンツに添付される統一属性情報は、一つの属性でもよく、また、複数の属性であってもよい。
【００６６】
また、外部コンテンツサーバ５０、５１は、データセンタサーバ４０から受け取る、暗号化した統一属性情報を復号化した後、統一属性情報を検索条件にして、リコメンドコンテンツに添付された統一属性情報を検索し、統一属性情報の属性の内容が一致するリコメンドコンテンツのタイトルをデータセンタサーバ４０に送出する。なお、リコメンドコンテンツのタイトルにはリンクが設定されており、リンク動作によりタイトルに対応する情報のＵＲＬにアクセス可能な構成である。
【００６７】
データセンタサーバ４０は、利用者からユーザ端末１０を介して、リコメンドコンテンツのタイトルを並べた表であるリコメンドコンテンツ一覧の要求があった場合、利用者の統一属性情報を検索条件として外部コンテンツサーバ５０、５１に暗号化して送出し、外部コンテンツサーバ５０から検索結果として受け取るリコメンドコンテンツのタイトルからリコメンドコンテンツ一覧の情報を生成し、企業内ポータルサーバ２０を介してユーザ端末１０へ引き渡す。
【００６８】
次に本実施例の動作について詳細に説明する。
【００６９】
図６は、ユーザ端末１０にポータル画面からリコメンドコンテンツ一覧を表示させるまでの動作手順を示すタイムチャートである。
【００７０】
利用者はユーザ端末１０上に表示されているポータル画面を見ながらユーザ端末１０を操作して、リコメンドコンテンツ一覧を要求すると、ユーザ端末１０はリコメンドコンテンツ一覧の要求、およびユーザＩＤを企業内ポータルサーバ２０に送出する（ステップＣ１）。企業内ポータルサーバ２０は、リコメンドコンテンツ一覧の要求、およびユーザＩＤを受け取ると、受け取ったユーザＩＤを企業内ディレクトリサーバ３０に送出する（ステップＣ２）。企業内ディレクトリサーバ３０は受け取ったユーザＩＤに対応するユーザ属性情報を企業内ポータルサーバ２０に返却する（ステップＣ３）。
【００７１】
企業内ポータルサーバ２０はユーザ属性情報を受け取ると、ユーザ属性情報による暗号化ユーザ属性情報とリコメンドコンテンツの要求をデータセンタサーバ４０に送出する（ステップＣ４）。データセンタサーバ４０は、暗号化ユーザ属性情報を復号化して、図４に示した変換テーブルを用いてユーザ属性情報を統一属性情報に変換し、統一属性情報を検索条件として外部コンテンツサーバ５０、５１に暗号化して送出する（ステップＣ５）。外部コンテンツサーバ５０、５１に格納されたリコメンドコンテンツには予め統一属性情報が添付されているので、外部コンテンツサーバ５０、５１は、暗号化した統一属性情報を復号化して、統一属性情報の属性内容が合致するリコメンドコンテンツのタイトルを検索結果としてデータセンタサーバ４０に返却する（ステップＣ６）。データセンタサーバ４０はリコメンドコンテンツのタイトルの情報を受け取ると、リコメンドコンテンツ一覧を生成し（ステップＣ７）、ユーザ端末１０に返却する。
【００７２】
本実施例は、アクセスランキング一覧を利用して情報を配信する第１実施例と異なり、情報に添付されたユーザ属性情報から利用者に推薦する情報を識別するので、外部情報を提供する企業や団体が推薦する情報を確実に配信するだけでなく、アクセス回数が少なくても、新規かつ重要な情報について利用者に対して配信することができる。
【００７３】
なお、上記第１実施例および第２実施例において、企業内ポータルサーバ２０と企業内ディレクトリサーバ３０とを別々のサーバとする構成にしたが、企業内ポータルサーバ２０に企業内ディレクトリサーバ３０の機能を有するようにしてもよい
【００７４】
【発明の効果】
本発明は以上説明したように構成されているので、以下に記載する効果を奏する。
【００７５】
本発明は、利用者のユーザ属性情報を暗号化して、組織外ネットワークを介してデータセンタサーバに送出しているので、組織外ネットワークを利用する当事者以外にユーザ属性情報の内容が知られる心配がない。
【００７６】
また、利用者が要求する情報について、利用者のユーザ属性情報を伴ったアクセス履歴を格納しているので、組織が企業であれば自社内だけでなく、職種が同じなどの属性内容が一致する他社の利用者を含めて、利用者は自分のユーザ属性情報と一致する人についてのアクセス回数の多い情報を取得できる。
【００７７】
また、ユーザ属性情報を伴ったアクセス履歴の管理をデータサーバセンタで一括して行っているため、組織毎に管理する必要がなく、資源の節約になる。
【００７８】
さらに、利用者は、推薦情報一覧をユーザ端末を介して要求することにより、アクセス回数に関係なく、自分のユーザ属性情報に関連のある推薦情報を簡単に入手できる。
【図面の簡単な説明】
【図１】本発明の第１実施例の構成についての一実施例を示すブロック図である。
【図２】第１実施例において、ユーザ端末１０にポータル画面が表示されるまでの動作手順を示すタイムチャートである。
【図３】ユーザ属性情報のテーブルの一例を示す図である。
【図４】ユーザ属性情報から統一属性情報に変換するための変換テーブルの一例を示す図である。
【図５】ユーザ端末１０にコンテンツランキング一覧を表示させるまでの動作手順を示すタイムチャートである。
【図６】第２実施例において、ユーザ端末１０にリコメンドコンテンツ一覧を表示させるまでの動作手順を示すタイムチャートである。
【図７】従来の情報配信システムの構成の一実施例を示すブロック図である。
【符号の説明】
１０、１１、３１０、３１１    ユーザ端末
２０、３２０    企業内ポータルサーバ
３０、３３０    企業内ディレクトリサーバ
３５、３６、４００、４０１    企業内ポータルシステム
４０    データセンタサーバ
５０、５１、３５０、３５１    外部コンテンツサーバ
１００    企業内ネットワーク
２００    広域ネットワーク
【図１】
0003925635.tif 000002
【図２】
0003925635.tif 000003
【図３】
0003925635.tif 000004
【図４】
0003925635.tif 000005
【図５】
0003925635.tif 000006
【図６】
0003925635.tif 000007
【図７】
0003925635.tif 000008